(57)【要約】【課題】ユーザの利便性の向上を図りつつ、より有益なＥＰＧを生成することが可能な、新規かつ改良された情報処理装置、受信装置、および情報処理方法を提供する。【解決手段】放送信号を受信する受信装置から、チャンネルの信号情報と、信号情報に対応する受信装置における選局を制御するための選局情報とを取得し、取得されたチャンネルの信号情報に基づいて、管理装置から、信号情報に対応するＥＰＧ（Electronic  Program  Guide）に関する情報を取得する取得制御部と、取得されたＥＰＧに関する情報に基づいて、ＥＰＧを生成するＥＰＧ処理部と、を備え、ＥＰＧ処理部は、取得された選局情報と、生成したＥＰＧにおける各チャンネルとを対応付ける、情報処理装置が提供される。【選択図】図８
2014127955.tif 000002
【特許請求の範囲】
【請求項１】
放送信号を受信する受信装置から、チャンネルの信号情報と、前記信号情報に対応する前記受信装置における選局を制御するための選局情報とを取得し、取得されたチャンネルの信号情報に基づいて、管理装置から、前記信号情報に対応するＥＰＧ（Electronic  Program  Guide）に関する情報を取得する取得制御部と、
取得されたＥＰＧに関する情報に基づいて、ＥＰＧを生成するＥＰＧ処理部と、
を備え、
前記ＥＰＧ処理部は、取得された前記選局情報と、生成した前記ＥＰＧにおける各チャンネルとを対応付ける、情報処理装置。
【請求項２】
前記ＥＰＧ処理部は、前記信号情報、前記選局情報、および前記ＥＰＧに関する情報に含まれる、ＥＧＰにおけるチャンネルを識別するための識別情報を対応付けることにより、前記選局情報と生成した前記ＥＰＧにおける各チャンネルとを対応付ける、請求項１に記載の情報処理装置。
【請求項３】
前記ＥＰＧ処理部は、
前記信号情報と前記信号情報に対応する前記選局情報とが、前記受信装置から取得されるごとに、前記信号情報と前記選局情報とを対応付け、
前記ＥＰＧに関する情報が、前記管理装置から取得されるごとに、前記信号情報、前記選局情報、および前記識別情報を対応付ける、請求項２に記載の情報処理装置。
【請求項４】
生成された前記ＥＰＧに対する操作により選択されたチャンネルに対応する、前記選局情報に基づいて、前記受信装置における選局を制御する選局制御部をさらに備える、請求項１に記載の情報処理装置。
【請求項５】
前記受信装置を切り替える切替部をさらに備え、
前記取得制御部は、切り替えられた前記受信装置から、前記信号情報および前記選局情報を取得し、
前記ＥＰＧ処理部は、切り替えられた前記受信装置に対応するＥＰＧを生成する、請求項１に記載の情報処理装置。
【請求項６】
前記受信装置を切り替える切替部をさらに備え、
前記選局制御部は、切り替えられた前記受信装置における選局を制御する、請求項４に記載の情報処理装置。
【請求項７】
放送信号を受信する受信部と、
受信された放送信号に基づくチャンネルの信号情報に対応する、選局を制御するための選局情報を生成する処理部と、
を備える、受信装置。
【請求項８】
前記処理部は、自装置のＩＰ（Internet  Protocol）アドレスと、チャンネルに関する情報と、前記信号情報とを含むＵＲＬ（Uniform  Resource  Locator）を、前記選局情報として生成する、請求項７に記載の受信装置。
【請求項９】
放送信号を受信する受信装置から、チャンネルの信号情報と、前記信号情報に対応する前記受信装置における選局を制御するための選局情報とを取得し、取得されたチャンネルの信号情報に基づいて、管理装置から、前記信号情報に対応するＥＰＧに関する情報を取得するステップと、
取得されたＥＰＧに関する情報に基づいて、ＥＰＧを生成するステップと、
を有し、
前記ＥＰＧを生成するステップでは、取得された前記選局情報と、生成された前記ＥＰＧにおける各チャンネルとが対応付けられる、情報処理方法。
【発明の詳細な説明】
【技術分野】
【０００１】
本開示は、情報処理装置、受信装置、および情報処理方法に関する。
【背景技術】
【０００２】
例えば携帯電話やスマートフォン、タブレット型の装置などの、いわゆるモバイル装置で利用可能なＥＰＧ（Electronic  Program  Guide）が登場している。
【０００３】
また、コンテンツを表示する装置および操作用の装置の関連付けと、操作の管理とを行うサーバに関する技術も開発されている。上記サーバに関する技術としては、例えば下記の特許文献１に記載の技術が挙げられる。
【先行技術文献】
【特許文献】
【０００４】
【特許文献１】特開２００９−１５９１８８号公報
【発明の概要】
【発明が解決しようとする課題】
【０００５】
いわゆるモバイル装置で利用可能な既存のＥＰＧ（以下、単に「既存のＥＰＧ」と示す場合がある。）は、例えば、国や都道府県、郵便番号などに基づいた地域ごとのチャンネルで構成されるＥＰＧでしか実現されていない。そのため、既存のＥＰＧを生成する情報処理装置（以下、単に「既存の情報処理装置」と示す場合がある。）が用いられる場合には、例えば、ユーザの誤入力によって誤った地域のＥＰＧが生成されることなどによって、ユーザの利便性の低下が生じる恐れがある。また、例えば特許文献１ではＥＰＧの生成に関して特段の考慮はなされておらず、仮に、例えば特許文献１に記載されているようなサーバに関する技術を用いたとしても、上記のようなユーザの利便性の低下は生じうる。
【０００６】
ここで、上記のようなユーザの利便性の低下を防止するための一の方法としては、例えば、ＥＰＧを生成する情報処理装置が、テレビ受像機やチューナーなどの放送信号を受信する装置（以下、「受信装置」と示す。）から、ＥＰＧのデータを取得することが考えられる。受信装置からＥＰＧのデータを取得することによって、例えば誤った地域のＥＰＧが生成されることなどによって、ユーザの利便性の低下が生じる事態の発生を防止することが可能となる。
【０００７】
しかしながら、例えば仕様などによって受信装置からＥＰＧのデータを取得することが制限されていることがあり、上記情報処理装置が、受信装置からＥＰＧのデータを取得することができるとは限らない。また、仮に、受信装置からＥＰＧのデータを取得することができたとしても、サーバなどの外部装置から取得されるデータを用いてＥＰＧを生成した方が、例えば、より情報量の多いＥＰＧや、情報の鮮度がより高いＥＰＧ（例えば、最新の番組に関する情報を含むＥＰＧなど）など、ユーザにとってより有益なＥＰＧを生成することができる可能性がある。
【０００８】
よって、上記ユーザの利便性の低下を防止するための一の方法を用いることができるとは限られず、仮に、上記一の方法を用いることができたとしても、ユーザにとってより有益なＥＰＧを生成することができるとは限らない。
【０００９】
本開示では、ユーザの利便性の向上を図りつつ、より有益なＥＰＧを生成することが可能な、新規かつ改良された情報処理装置、受信装置、および情報処理方法を提案する。
【課題を解決するための手段】
【００１０】
本開示によれば、放送信号を受信する受信装置から、チャンネルの信号情報と、上記信号情報に対応する上記受信装置における選局を制御するための選局情報とを取得し、取得されたチャンネルの信号情報に基づいて、管理装置から、上記信号情報に対応するＥＰＧ（Electronic  Program  Guide）に関する情報を取得する取得制御部と、取得されたＥＰＧに関する情報に基づいて、ＥＰＧを生成するＥＰＧ処理部と、を備え、上記ＥＰＧ処理部は、取得された上記選局情報と、生成した上記ＥＰＧにおける各チャンネルとを対応付ける、情報処理装置が提供される。
【００１１】
また、本開示によれば、放送信号を受信する受信部と、受信された放送信号に基づくチャンネルの信号情報に対応する、選局を制御するための選局情報を生成する処理部と、を備える、受信装置が提供される。
【００１２】
また、本開示によれば、放送信号を受信する受信装置から、チャンネルの信号情報と、上記信号情報に対応する上記受信装置における選局を制御するための選局情報とを取得し、取得されたチャンネルの信号情報に基づいて、管理装置から、上記信号情報に対応するＥＰＧに関する情報を取得するステップと、取得されたＥＰＧに関する情報に基づいて、ＥＰＧを生成するステップと、を有し、上記ＥＰＧを生成するステップでは、取得された上記選局情報と、生成された上記ＥＰＧにおける各チャンネルとが対応付けられる、情報処理方法が提供される。
【発明の効果】
【００１３】
本開示によれば、ユーザの利便性の向上を図りつつ、より有益なＥＰＧを生成することができる。
【図面の簡単な説明】
【００１４】
【図１】本実施形態に係る情報処理システムの一例を示す説明図である。
【図２】本実施形態に係る情報処理装置における、選局情報と、生成されたＥＰＧにおける各チャンネルとの対応付けの一例を説明するための説明図である。
【図３】本実施形態に係る切替処理の一例を説明するための説明図である。
【図４】本実施形態に係る切替処理の一例を説明するための説明図である。
【図５】本実施形態に係る切替処理の一例を説明するための説明図である。
【図６】本実施形態に係る情報処理装置における、本実施形態に係る情報処理方法に係る処理の一例を示す流れ図である。
【図７】本実施形態に係る情報処理システムにおける処理の一例を示す説明図である。
【図８】本実施形態に係る情報処理装置の構成の一例を示すブロック図である。
【図９】本実施形態に係る情報処理装置のハードウェア構成の一例を示す説明図である。
【図１０】本実施形態に係る受信装置の構成の一例を示すブロック図である。
【図１１】本実施形態に係る管理装置の構成の一例を示すブロック図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
また、以下では、下記に示す順序で説明を行う。
１．本実施形態に係る情報処理方法
２．本実施形態に係る情報処理システム
３．本実施形態に係るプログラム
【００１７】
（本実施形態に係る情報処理方法）
本実施形態に係る情報処理システムを構成する装置それぞれの構成について説明する前に、まず、本実施形態に係る情報処理方法について説明する。以下では、本実施形態に係る情報処理システムを構成する本実施形態に係る情報処理装置が、本実施形態に係る情報処理方法に係る処理を行う場合を例に挙げて、本実施形態に係る情報処理方法について説明する。
【００１８】
［１］本実施形態に係る情報処理方法の概要
上述したように、既存のＥＰＧは、例えば、国や都道府県、郵便番号などに基づいた地域ごとのチャンネルで構成されるＥＰＧでしか実現されていない。そのため、既存の情報処理装置が用いられる場合には、例えば、下記の（ａ）〜（ｃ）に示すような問題が生じうる。
【００１９】
（ａ）生じうる問題の第１の例
既存の情報処理装置が用いられる場合、ユーザは、例えば、国や都道府県、郵便番号などを入力しなければならない。また、ユーザが誤った入力を行った場合には、例えば、テレビ受像機などの受信装置が実際に受信している放送信号が示すチャンネルと、既存の情報処理装置が生成した既存のＥＰＧにおけるチャンネルとが一致しないこととなる。よって、既存の情報処理装置が用いられる場合には、ユーザの利便性を低下させる恐れがある。
【００２０】
（ｂ）生じうる問題の第２の例
例えば、上記第１の例に示すようなユーザの誤入力以外でも、テレビ受像機などの受信装置が実際に受信している放送信号が示すチャンネルと、既存の情報処理装置が生成した既存のＥＰＧにおけるチャンネルとが一致せず、差異が生じる場合がある。例えば、県境などでは、受信装置は、複数の県それぞれに対応するチャンネルを受信することができる場合があるが、既存の情報処理装置は、特定の県のチャンネルで構成されたＥＰＧしか生成することができない。また、仮に、既存の情報処理装置において複数の県のチャンネルを設定することが可能であっても、ユーザが、他の地域のチャンネルを一つ一つ追加する必要がある。よって、既存の情報処理装置が用いられる場合には、ユーザの利便性を低下させる恐れがある。
【００２１】
（ｃ）生じうる問題の第３の例
例えば、既存の情報処理装置を持ったユーザが、他の国や他の都道府県などの他の地域に移動した場合や、当該ユーザが、受信している放送信号が示すチャンネルが異なる他の受信装置のところへ移動した場合には、当該ユーザは、再度、国や都道府県、郵便番号などを入力して地域の再設定を行わなければならない。よって、既存の情報処理装置が用いられる場合には、ユーザの利便性を低下させる恐れがある。
【００２２】
例えば上記（ａ）〜上記（ｃ）に示すように、既存のＥＰＧを生成する既存の情報処理装置が用いられる場合には、ユーザの利便性の低下が生じる恐れがある。
【００２３】
また、上述したように、上記ユーザの利便性の低下を防止するための一の方法を用いることができるとは限られず、仮に、上記一の方法を用いることができたとしても、ユーザにとってより有益なＥＰＧを生成することができるとは限らない。
【００２４】
そこで、本実施形態に係る情報処理装置は、受信装置から取得された情報（データ）に基づいて、管理装置からＥＰＧに関する情報（後述する）を取得する（取得制御処理）。そして、本実施形態に係る情報処理装置は、取得されたＥＰＧに関する情報に基づいて、ＥＰＧを生成する（ＥＰＧ処理）。
【００２５】
ここで、受信装置から取得された情報（データ）に基づき管理装置から取得されたＥＰＧに関する情報に基づいて、ＥＰＧを生成することによって、本実施形態に係る情報処理装置は、受信装置が受信している放送信号（または、受信することが可能な放送信号）に対応するＥＰＧを生成することができる。よって、本実施形態に係る情報処理装置は、例えば、ユーザによる国や都道府県、郵便番号などの入力が行われなくても、受信装置が受信している放送信号に対応するＥＰＧを生成することが可能であるので、例えば既存のＥＰＧにおいて生じうる上記（ａ）〜上記（ｃ）に示す問題の発生は防止される。
【００２６】
また、本実施形態に係る情報処理装置は、管理装置から取得されたＥＰＧに関する情報に基づいてＥＰＧを生成する。よって、本実施形態に係る情報処理装置は、上記ユーザの利便性の低下を防止するための一の方法を用いる場合のように、受信装置から取得されたデータに基づいてＥＰＧを生成する場合よりも、例えばより情報量の多いＥＰＧや情報の鮮度がより高いＥＰＧなど、ユーザにとってより有益なＥＰＧを生成することができる可能性が高い。
【００２７】
したがって、本実施形態に係る情報処理装置は、本実施形態に係る情報処理方法に係る処理として、（１）取得制御処理、および（２）ＥＰＧ処理を行うことによって、ユーザの利便性の向上を図りつつ、より有益なＥＰＧを生成することができる。
【００２８】
また、本実施形態に係る情報処理方法に係る処理として、（１）取得制御処理、および（２）ＥＰＧ処理が行われることによって、例えば下記の（Ａ）〜（Ｃ）に示すようなことを実現することができる。
（Ａ）テレビ受像機（受信装置の一例）が受信しているチャンネルで構成されたＥＰＧを、モバイル装置（本実施形態に係る情報処理装置の一例）の表示画面に表示させることができる。
（Ｂ）ユーザが、国や都道府県、郵便番号を入力しなくても、テレビ受像機（受信装置の一例）が受信しているチャンネルで構成されたＥＰＧを、モバイル装置（本実施形態に係る情報処理装置の一例）の表示画面に表示させることができる。
（Ｃ）例えば、受信しているチャンネルが異なる他のテレビ受像機（受信装置の一例）や、他の国や他の都道府県のテレビ受像機（受信装置の一例）に、モバイル装置（本実施形態に係る情報処理装置の一例）が接続されることにより、ユーザによる何らの設定なしに、接続されたテレビ受像機（受信装置の一例）が受信しているチャンネルで構成されたＥＰＧを、モバイル装置（本実施形態に係る情報処理装置の一例）の表示画面に表示させることができる。
【００２９】
以下、本実施形態に係る情報処理システムの一例を説明しつつ、本実施形態に係る情報処理方法に係る処理の一例について説明する。
【００３０】
［２］本実施形態に係る情報処理方法に係る処理の一例
図１は、本実施形態に係る情報処理システム１０００の一例を示す説明図である。情報処理システム１０００は、例えば、情報処理装置１００と、受信装置２００Ａ、２００Ｂ、…（以下、総称して「受信装置２００」と示す場合がある。）と、管理装置３００とを有する。情報処理装置１００と受信装置２００とは、例えば、有線または無線で通信を行う。また、情報処理装置１００と管理装置３００とは、例えば、ネットワーク４００を介して（または直接的に）通信を行う。なお、図１では、本実施形態に係る情報処理システムが、複数の受信装置２００を有する例を示しているが、本実施形態に係る情報処理システムは、上記に限られない。例えば、本実施形態に係る情報処理システムは、１つの受信装置２００を有する構成であってもよい。
【００３１】
ここで、本実施形態に係るネットワーク４００としては、例えば、ＬＡＮ（Local  Area  Network）やＷＡＮ（Wide  Area  Network）などの有線ネットワーク、無線ＬＡＮ（ＷＬＡＮ：Wireless  Local  Area  Network）や基地局を介した無線ＷＡＮ（ＷＷＡＮ：Wireless  Wide  Area  Network）などの無線ネットワーク、あるいは、ＴＣＰ／ＩＰ（Transmission  Control  Protocol/Internet  Protocol）などの通信プロトコルを用いたインターネットなどが挙げられる。
【００３２】
受信装置２００は、放送信号を受信する。また、受信装置２００は、受信された放送信号に基づくチャンネルの信号情報に対応する、選局を制御するための選局情報を生成する。
【００３３】
ここで、本実施形態に係る信号情報としては、例えば下記のようなデータが挙げられる。本実施形態に係る信号情報の一例については、後述する。
・ＡＲＩＢ（Association  of  Radio  Industries  and  Broadcast）における“ｎｉｄ”、“ｔｓｉｄ”、“ｓｉｄ”、チャンネル名
・ＤＶＢ（Digital  Video  Broadcasting）における“ｏｎｉｄ”、“ｔｓｉｄ”、“ｓｉｄ”、“コールサイン”
・ＡＴＳＣ（Advanced  Television  Systems  Committee）におけるＶＣＴ（Virtual  Channel  Table）の“ｍａｊｏｒｃｈ”、“ｍｉｎｏｒｃｈ”、“ｓｈｏｒｔｎａｍｅ”、“ｐｈｙｓｉｃａｌ  ｎｕｍｂｅｒ”、“ｐｒｏｇｒａｍ  ｎｕｍｂｅｒ”、“ｔｓｉｄ”
【００３４】
また、受信装置２００が生成する選局情報としては、例えば、自装置のＩＰ（Internet  Protocol）アドレスと、チャンネルに関する情報と、信号情報とを含むＵＲＬ（Uniform  Resource  Locator）が挙げられる。より具体的には、受信装置２００は、例えば、自装置のＩＰアドレスに、チャンネルの放送波種別、信号情報、およびチャンネル名で構成されたパラメータを付与したＵＲＬを、自装置に対応する選局情報として生成する。以下では、受信装置２００が選局情報として生成するＵＲＬを、「チャンネルＵＲＬ」と示す場合がある。
【００３５】
なお、本実施形態に係る選局情報は、上記のようなチャンネルＵＲＬに限られない。例えば、受信装置２００は、チャンネルを特定して選局を行うことが可能な任意の形式のデータを、選局情報として生成してもよい。本実施形態に係る選局情報の一例については、後述する。
【００３６】
受信装置２００は、チャンネルの信号情報と、生成した選局情報とを、情報処理装置１００へ送信する。また、受信装置２００は、例えば、情報処理装置１００から送信される選局情報に基づいて、選局情報に対応するチャンネルを選択することによって、選局を行う。
【００３７】
管理装置３００は、情報処理装置１００から送信される信号情報に対応するＥＰＧに関する情報を、情報処理装置１００に送信する。ここで、管理装置３００は、例えば、自装置が備える記憶部（後述する）や、外部記録媒体に記憶されているＥＰＧに関する情報を、情報処理装置１００に送信する。
【００３８】
ここで、本実施形態に係るＥＰＧに関する情報としては、例えば、ＥＰＧの枠を作成するためのデータや、番組情報（番組に関するデータ）が挙げられる。また、本実施形態に係るＥＰＧの枠を作成するためのデータとしては、例えば、チャンネル名を示すデータや、チャンネル番号を示すデータ、チャンネルのロゴを示すデータ、ＥＧＰにおけるチャンネルを識別するための識別情報（例えば、チャンネルＩＤ）などが挙げられる。また、本実施形態に係る番組情報としては、例えば、番組タイトルを示すデータや、番組の詳細を示すデータ、番組の開始時間や終了時間を示すデータなどが挙げられる。
【００３９】
情報処理装置１００は、本実施形態に係る情報処理方法に係る処理を行い、ＥＰＧを生成する。以下、情報処理装置１００における処理について、より具体的に説明する。
【００４０】
（１）取得制御処理
情報処理装置１００は、受信装置２００から、チャンネルの信号情報と、信号情報に対応する選局情報とを取得する。情報処理装置１００は、接続された受信装置２００に対して、例えば、情報の送信を要求する情報送信要求を送信することによって、チャンネルの信号情報と、信号情報に対応する選局情報とを取得する。
【００４１】
ここで、本実施形態に係る“情報処理装置１００と受信装置２００とが接続される”とは、例えば、情報処理装置１００と受信装置２００とが通信可能な状態となることをいう。以下では、情報処理装置１００が、上記情報送信要求によって受信装置２００から取得する情報を、総称して「第１チャンネル情報」と示す場合がある。
【００４２】
また、情報処理装置１００は、例えば、取得されたチャンネルの信号情報に基づいて、管理装置３００から、信号情報に対応するＥＰＧに関する情報を取得する。情報処理装置１００は、例えば、管理装置３００に対して、受信装置２００から取得された信号情報を送信することによって、信号情報に対応するＥＰＧに関する情報を管理装置３００から取得する。以下では、情報処理装置１００が管理装置３００から取得する、ＥＰＧに関する情報を含む情報を、総称して「第２チャンネル情報」と示す場合がある。ここで、上記のように、本実施形態に係るＥＰＧに関する情報としては、例えば、本実施形態に係るＥＰＧの枠を作成するためのデータや、本実施形態に係る番組情報が挙げられる。つまり、本実施形態に係るＥＰＧに関する情報を含む本実施形態に係る第２チャンネル情報には、例えば、本実施形態に係るＥＰＧの枠を作成するためのデータや、本実施形態に係る番組情報が含まれうる。
【００４３】
情報処理装置１００は、例えば上記のような処理を行うことによって、受信装置２００から取得された信号情報に対応するＥＰＧに関する情報を管理装置３００から取得する。
【００４４】
（２）ＥＰＧ処理
情報処理装置１００は、例えば、取得されたＥＰＧに関する情報に基づいて、ＥＰＧを生成する。
【００４５】
より具体的には、情報処理装置１００は、例えば、管理装置３００から取得されたＥＰＧの枠を作成するためのデータに基づいて、ＥＰＧの枠を作成する。そして、情報処理装置１００は、例えば、管理装置３００から取得された番組情報に基づいて、作成されたＥＰＧの枠内の対応する部分に、番組のタイトルや内容などを当てはめていくことによって、ＥＰＧを生成する。
【００４６】
また、情報処理装置１００は、ＥＰＧを生成する場合には、取得された選局情報と、生成されたＥＰＧにおける各チャンネルとを対応付ける。
【００４７】
より具体的には、情報処理装置１００は、例えば、チャンネルの信号情報、選局情報、およびＥＰＧに関する情報に含まれる、生成したＥＧＰにおけるチャンネルを識別するための識別情報を対応付けることにより、選局情報と生成したＥＰＧにおける各チャンネルとを対応付ける。ここで、情報処理装置１００は、例えば、対応付けに用いるチャンネルの信号情報および当該信号情報に対応する選局情報を、受信装置２００から取得される第１チャンネル情報から得る。また、情報処理装置１００は、例えば、対応付けに用いる識別情報を、管理装置３００から取得される第２チャンネル情報から得る。
【００４８】
図２は、本実施形態に係る情報処理装置１００における、選局情報と、生成されたＥＰＧにおける各チャンネルとの対応付けの一例を説明するための説明図である。ここで、図２は、チャンネルＵＲＬ（選局情報の一例）と、チャンネルの信号情報と、チャンネルＩＤ（チャンネルの識別情報の一例）とが対応付けられたテーブルの一例を示している。
【００４９】
情報処理装置１００は、例えば、第１チャンネル情報が受信装置２００から取得されるごとに、第１チャンネル情報を構成するチャンネルＵＲＬ（選局情報の一例）と、当該チャンネルＵＲＬに対応する信号情報とを、テーブルにおいて対応付けて記録する。
【００５０】
より具体的には、例えば、図２に示すテーブルにおいて、第１チャンネル情報を構成するチャンネルＵＲＬ（選局情報の一例）または信号情報と同一の、チャンネルＵＲＬや信号情報が存在しない場合には、情報処理装置１００は、第１チャンネル情報を構成するチャンネルＵＲＬと信号情報とを、テーブルに新規に対応付けて記録する。また、例えば、図２に示すテーブルにおいて、第１チャンネル情報を構成するチャンネルＵＲＬ（選局情報の一例）または信号情報と同一の、チャンネルＵＲＬや信号情報が既に存在する場合には、情報処理装置１００は、テーブルに既に存在する信号情報および選局情報を更新する。
【００５１】
また、情報処理装置１００は、例えば、第２チャンネル情報が管理装置３００から取得されるごとに、第２チャンネル情報を構成する、ＥＧＰにおけるチャンネルを識別するための識別情報（ＥＰＧに関する情報の一例）を、テーブルにおいて信号情報およびチャンネルＵＲＬ（選局情報の一例）と対応付けて記録する。より具体的には、情報処理装置１００は、例えば、図２に示すテーブルにおいて、第２チャンネル情報を構成する識別情報（ＥＰＧに関する情報の一例）に対応する信号情報を検索し、検索された信号情報と識別情報とを対応付けて記録する。
【００５２】
なお、本実施形態に係る、選局情報と生成されたＥＰＧにおける各チャンネルとの対応付けは、図２に示すようなテーブルにより行われることに限られない。例えば、情報処理装置１００は、ＲＤＢ（Relational  DataBase）など、対応付けが可能な任意の方法によって、選局情報と生成されたＥＰＧにおける各チャンネルとを対応付けることが可能である。
【００５３】
また、本実施形態に係る選局情報、本実施形態に係る信号情報、本実施形態に係る識別情報それぞれが、図２に示す例に限られないことは、言うまでもない。
【００５４】
例えば図２に示すように、取得された選局情報と、生成されたＥＰＧにおける各チャンネルとが対応付けられることによって、ＥＰＧにおいて選択されたチャンネルに対応付られる選局情報が、一意に特定される。よって、例えば図２に示すように、取得された選局情報と、生成されたＥＰＧにおける各チャンネルとが対応付けられることによって、本実施形態に係る選局情報を用いた選局の制御を実現することが、可能となる。
【００５５】
本実施形態に係る情報処理装置１００は、例えば、上記（１）の処理（取得制御処理）、および上記（２）の処理（ＥＰＧ処理）を、本実施形態に係る情報処理方法に係る処理として行う。
【００５６】
ここで、情報処理装置１００は、上記（１）の処理（取得制御処理）において、受信装置２００から取得されたチャンネルの信号情報に対応するＥＰＧに関する情報を、管理装置３００から取得する。そして、情報処理装置１００は、上記（２）の処理（ＥＰＧ処理）において、上記（１）の処理（取得制御処理）において取得されたＥＰＧに関する情報に基づいて、ＥＰＧを生成する。
【００５７】
よって、情報処理装置１００は、受信装置２００が受信している放送信号に対応するＥＰＧを生成することができるので、例えば既存のＥＰＧにおいて生じうる上記（ａ）〜上記（ｃ）に示す問題の発生は防止される。また、情報処理装置１００は、管理装置３００から取得されたＥＰＧに関する情報に基づいてＥＰＧを生成するので、上記ユーザの利便性の低下を防止するための一の方法を用いる場合のように、受信装置２００から取得されたデータに基づいてＥＰＧを生成する場合よりも、例えばより情報量の多いＥＰＧや情報の鮮度がより高いＥＰＧなど、ユーザにとってより有益なＥＰＧを生成することができる可能性が高い。
【００５８】
したがって、本実施形態に係る情報処理装置１００は、本実施形態に係る情報処理方法に係る処理として、上記（１）の処理（取得制御処理）、および上記（２）の処理（ＥＰＧ処理）を行うことによって、ユーザの利便性の向上を図りつつ、より有益なＥＰＧを生成することができる。
【００５９】
なお、本実施形態に係る情報処理方法に係る処理は、上記（１）の処理（取得制御処理）、および上記（２）の処理（ＥＰＧ処理）に限られない。
【００６０】
例えば、情報処理装置１００は、生成されたＥＰＧに対する操作により選択されたチャンネルに対応する選局情報に基づいて、受信装置２００における選局を制御してもよい（選局制御処理）。ここで、本実施形態に係るＥＰＧに対する操作としては、例えば、チャンネルを選択する選局操作が挙げられる。
【００６１】
より具体的には、情報処理装置１００は、例えば図２に示すようなテーブルを参照することによって、選局操作が示すチャンネルの識別情報（選択されたチャンネルの識別情報）に対応する選局情報を特定する。ここで、上述したように、情報処理装置１００が、例えば図２に示すように、取得された選局情報と、生成されたＥＰＧにおける各チャンネルの識別情報とが対応付けることによって、ＥＰＧにおいて選択されたチャンネルに対応付られる選局情報を一意に特定することが可能である。
【００６２】
また、情報処理装置１００は、例えば、特定された選局情報に基づいて受信装置２００と通信を行い、受信装置２００に選局情報に対応するチャンネルを選択させることによって、受信装置２００に選局を行わせる。
【００６３】
また、本実施形態に係る情報処理方法に係る処理は、“上記（１）の処理（取得制御処理）、および上記（２）の処理（ＥＰＧ処理）”や、“上記（１）の処理（取得制御処理）、上記（２）の処理（ＥＰＧ処理）、および上記選局制御処理”に限られない。
【００６４】
例えば、情報処理装置１００は、上記各処理に加え、さらに、受信装置２００を切り替えてもよい（切替処理）。情報処理装置１００は、例えば、ユーザ操作に基づいて、選択された受信装置２００に切り替える。
【００６５】
より具体的には、本実施形態に係る切替処理が行われる場合には、情報処理装置１００は、上記（１）の処理（取得制御処理）では、切り替えられた受信装置２００から、信号情報および選局情報を取得し、上記（２）の処理（ＥＰＧ処理）では、切り替えられた受信装置２００に対応するＥＰＧを生成する。
【００６６】
また、本実施形態に係る切替処理が行われる場合には、情報処理装置１００は、上記選局制御処理では、切り替えられた受信装置２００における選局を制御する。
【００６７】
図３〜図５は、本実施形態に係る切替処理の一例を説明するための説明図であり、例えば情報処理装置１００の表示画面に表示される画面の一例を示している。
【００６８】
ここで、図３は、ユーザに受信装置２００を切り替えさせるための切り替え画面の一例を示している。より具体的には、図３では、図３のＡに示すように、“Ｌｉｖｉｎｇ”に置かれているテレビ受像機（受信装置２００の一例）と、“ｂｅｄｒｏｏｍ”に置かれているテレビ受像機（受信装置２００の一例）と、“ｃｈｉｌｄｒｅｎ’ｓ  ｒｏｏｍ”に置かれているテレビ受像機（受信装置２００の一例）とを切り替えさせるための切り替え画面の一例を示している。
【００６９】
また、図４は、図３に示す“Ｌｉｖｉｎｇ”に置かれているテレビ受像機（受信装置２００の一例）が選択された場合において、情報処理装置１００が生成したＥＰＧの一例を示している。また、図５は、図４に示す“ｂｅｄｒｏｏｍ”に置かれているテレビ受像機（受信装置２００の一例）が選択された場合において、情報処理装置１００が生成したＥＰＧの一例を示している。
【００７０】
例えば図４、図５に示すように、本実施形態に係る切替処理によって受信装置２００が切り替えられることによって、情報処理装置１００が生成するＥＰＧが、切り替えられた受信装置２００に応じて変わることが分かる。
【００７１】
図４に示すＥＰＧに対して選局操作が行われた場合には、“Ｌｉｖｉｎｇ”に置かれているテレビ受像機（受信装置２００の一例）に対応する選局情報に基づいて、“Ｌｉｖｉｎｇ”に置かれているテレビ受像機における選局が制御される。また、図５に示すＥＰＧに対して選局操作が行われた場合には、“ｂｅｄｒｏｏｍ”に置かれているテレビ受像機（受信装置２００の一例）に対応する選局情報に基づいて、“ｂｅｄｒｏｏｍ”に置かれているテレビ受像機における選局が制御される。
【００７２】
［３］本実施形態に係る情報処理方法に係る処理の具体例
次に、上述した本実施形態に係る情報処理方法に係る処理について、より具体的に説明する。
【００７３】
図６は、本実施形態に係る情報処理装置１００における、本実施形態に係る情報処理方法に係る処理の一例を示す流れ図である。ここで、例えば、図６に示すステップＳ１０２、Ｓ１０６、Ｓ１１４の処理が、上記（１）の処理（取得制御処理）に該当し、図６に示すステップＳ１０４、Ｓ１１０、Ｓ１１２、Ｓ１１８、Ｓ１２０の処理が、上記（２）の処理（ＥＰＧ処理）に該当する。また、図６に示すステップＳ１２６の処理が、上記選局制御処理に該当する。
【００７４】
情報処理装置１００は、受信装置２００が接続されたか否かを判定する（Ｓ１００）。ステップＳ１００において受信装置２００が接続されたと判定されない場合には、情報処理装置１００は、例えば、受信装置２００が接続されたと判定されるまで処理を進めない。
【００７５】
また、ステップＳ１００において受信装置２００が接続されたと判定された場合には、情報処理装置１００は、接続された受信装置２００から第１チャンネル情報を取得する（Ｓ１０２）。情報処理装置１００は、例えば、情報送信要求を受信装置２００に対して送信することによって、受信装置２００から第１チャンネル情報を取得する。
【００７６】
ステップＳ１０２において第１チャンネル情報が取得されると、情報処理装置１００は、例えば図２に示すような、チャンネルＵＲＬ（選局情報の一例）、チャンネルの信号情報、およびチャンネルＩＤ（チャンネルの識別情報の一例）が対応付けられたテーブルを更新する（Ｓ１０４）。より具体的には、例えば、テーブルにおいて、取得された第１チャンネル情報を構成するチャンネルＵＲＬ（選局情報の一例）または信号情報と同一の、チャンネルＵＲＬや信号情報が存在しない場合には、情報処理装置１００は、第１チャンネル情報を構成するチャンネルＵＲＬと信号情報とを、テーブルに新規に対応付けて記録する。また、例えば、テーブルにおいて、取得された第１チャンネル情報を構成するチャンネルＵＲＬ（選局情報の一例）または信号情報と同一の、チャンネルＵＲＬや信号情報が既に存在する場合には、情報処理装置１００は、テーブルに既に存在する信号情報および選局情報を上書き更新する。
【００７７】
情報処理装置１００は、第１チャンネル情報を構成する１つのチャンネルの信号情報を、管理装置３００へ送信する（Ｓ１０６）。
【００７８】
ここで、図６では、ステップＳ１０４の処理が行われた後にステップＳ１０６の処理が行われる例を示しているが、本実施形態に係る情報処理装置１００は、例えば、ステップＳ１０４の処理と、ステップＳ１０６の処理とを独立に行うことが可能である。よって、本実施形態に係る情報処理装置１００は、例えば、ステップＳ１０６の処理の後に、ステップＳ１０４の処理を行ってもよいし、ステップＳ１０４の処理と、ステップＳ１０６の処理とを並列に行ってもよい。
【００７９】
ステップＳ１０６の処理を行うと、情報処理装置１００は、管理装置３００から第２チャンネル情報が取得されたか否かを判定する（Ｓ１０８）。ステップＳ１０８において第２チャンネル情報が取得されたと判定されない場合には、情報処理装置１００は、例えば、第２チャンネル情報が取得されたと判定されるまで処理を進めない。
【００８０】
また、ステップＳ１０８において第２チャンネル情報が取得されたと判定された場合には、情報処理装置１００は、ＥＰＧの枠が生成されているか否かを判定する（Ｓ１１０）。ステップＳ１１０においてＥＰＧの枠が生成されていると判定された場合には、情報処理装置１００は、後述するステップＳ１１４の処理を行う。
【００８１】
また、ステップＳ１１０においてＥＰＧの枠が生成されていると判定されない場合には、情報処理装置１００は、例えば、第２チャンネル情報を構成する、ＥＰＧの枠を作成するためのデータ（ＥＰＧに関する情報を構成する情報の一例）に基づいて、ＥＰＧの枠を作成する（Ｓ１１２）。
【００８２】
ステップＳ１１０においてＥＰＧの枠が生成されていると判定された場合、または、ステップＳ１１２の処理が行われると、第２チャンネル情報を構成するチャンネルＩＤ（チャンネルの識別情報の一例）に対応する番組情報を送信させるための番組情報送信要求を、管理装置３００へ送信する（Ｓ１１４）。ここで、本実施形態に係る番組情報送信要求としては、例えば、チャンネルＩＤと、番組情報の送信命令とを含むデータが挙げられる。
【００８３】
ステップＳ１１４の処理を行うと、情報処理装置１００は、番組情報が受信されたか否かを判定する（Ｓ１１６）。ステップＳ１１６において番組情報が受信されたと判定されない場合には、情報処理装置１００は、例えば、番組情報が受信されたと判定されるまで処理を進めない。
【００８４】
また、ステップＳ１１６において番組情報が受信されたと判定された場合には、情報処理装置１００は、ＥＰＧを更新する（Ｓ１１８）。情報処理装置１００は、例えば、管理装置３００から取得された番組情報に基づいて、作成されたＥＰＧの枠内の対応する部分に、番組のタイトルや内容などを当てはめていくことによって、ＥＰＧを更新する。
【００８５】
ステップＳ１１８の処理が行われると、情報処理装置１００は、ＥＰＧが完成したか否かを判定する（Ｓ１２０）。情報処理装置１００は、例えば、ＥＰＧの枠内の全てのチャンネルに、番組のタイトルや内容などが当てはめられている場合に、ＥＰＧが完成したと判定する。
【００８６】
ステップＳ１２０においてＥＰＧが完成したと判定されない場合には、情報処理装置１００は、ステップＳ１０６からの処理を繰り返す。
【００８７】
また、ステップＳ１２０においてＥＰＧが完成したと判定された場合には、情報処理装置１００は、完成したＥＰＧを表示画面に表示させる（Ｓ１２２）。ここで、ステップＳ１２２においてＥＰＧを表示させる表示画面としては、例えば、情報処理装置１００が備える表示部（後述する）の表示画面が挙げられる。なお、情報処理装置１００は、外部の表示デバイスにＥＰＧを表示させてもよい。
【００８８】
情報処理装置１００は、選局操作（ＥＰＧに対する操作の一例）が検出されたか否かを判定する（Ｓ１２４）。ステップＳ１２４において選局操作（ＥＰＧに対する操作の一例）が検出されたと判定されない場合には、情報処理装置１００は、例えば、選局操作が検出されたと判定されるまで、処理を進めない。
【００８９】
また、ステップＳ１２４において選局操作（ＥＰＧに対する操作の一例）が検出されたと判定された場合には、情報処理装置１００は、テーブルを参照して、選局操作により選択されたチャンネルに対応する選局情報を特定し、特定された選局情報を用いて受信装置２００における選局を制御する（Ｓ１２６）。情報処理装置１００は、例えば、特定された選局情報に基づいて受信装置２００と通信を行い、受信装置２００に選局情報に対応するチャンネルを選択させる。
【００９０】
情報処理装置１００は、本実施形態に係る情報処理方法に係る処理として、例えば図６に示す処理を行う。図６に示す処理によって、上記（１）の処理（取得制御処理）、および上記（２）の処理（ＥＰＧ処理）が実現される。したがって、情報処理装置１００が、例えば図６に示す処理を行うことによって、ユーザの利便性の向上を図りつつ、より有益なＥＰＧを生成することができる。
【００９１】
なお、本実施形態に係る情報処理方法に係る処理は、図６に示す処理に限られない。例えば、情報処理装置１００は、本実施形態に係る切替処理をさらに行うことにより、複数の受信装置２００それぞれに対応するＥＰＧの生成や、複数の受信装置２００それぞれに対する選局の制御を行ってもよい。
【００９２】
次に、本実施形態に係る情報処理システムにおける処理の一例を示す。以下では、図１に示す情報処理システム１０００を例に挙げて、情報処理システムにおける処理の一例を示す。
【００９３】
図７は、本実施形態に係る情報処理システム１０００における処理の一例を示す説明図である。ここで、情報処理装置１００が行う図７に示すステップＳ２０２、Ｓ２０６の処理が、上記（１）の処理（取得制御処理）に該当する。また、情報処理装置１００が行う図７に示すステップＳ２１０、Ｓ２１６の処理が、上記（２）の処理（ＥＰＧ処理）に該当する。また、情報処理装置１００が行う図７に示すステップＳ２２０の処理が、上記選局制御処理に該当する。
【００９４】
情報処理装置１００と受信装置２００とは、接続処理を行う（Ｓ２００）。ここで、ステップＳ２００の処理は、例えば、情報処理装置１００が、ユーザの接続操作に基づいて、受信装置２００に対して接続要求を送信することによって行われる。
【００９５】
ステップＳ２００において情報処理装置１００と受信装置２００とが接続されると、情報処理装置１００は、受信装置２００に対して情報送信要求を送信する（Ｓ２０２）。
【００９６】
ステップＳ２０２において情報処理装置１００から送信された情報送信要求を受信した受信装置２００は、第１チャンネル情報を送信する（Ｓ２０４）。
【００９７】
受信装置２００は、例えば、情報送信要求の受信に応じて第１チャンネル情報を構成する情報（チャンネルの信号情報と、信号情報に対応する選局情報など）を生成する。なお、受信装置２００における処理は、上記に限られない。例えば、受信装置２００は、情報送信要求の受信によらず、第１チャンネル情報を生成していてもよい。情報送信要求の受信によらずに第１チャンネル情報を生成する場合には、受信装置２００は、例えば、情報送信要求の受信に応じて、予め生成している情報で構成される第１チャンネル情報を送信する。
【００９８】
ステップＳ２０４において受信装置２００から送信された第１チャンネル情報を受信した情報処理装置１００は、第１チャンネル情報を構成するチャンネルの信号情報を、管理装置３００へ送信する（Ｓ２０６）。
【００９９】
ステップＳ２０６において情報処理装置１００から送信された信号情報を受信した管理装置３００は、第２チャンネル情報を送信する（Ｓ２０８）。ここで、管理装置３００は、例えば、信号情報と第２チャンネル情報を構成する情報（例えば、ＥＰＧに関する情報など）とが対応付けられているデータベースを参照して、受信した信号情報と一致する信号情報に対応する第２チャンネル情報を構成する情報を特定する。そして、管理装置３００は、例えば、特定された情報を含む第２チャンネル情報を送信する。
【０１００】
ステップＳ２０８において管理装置３００から送信された第２チャンネル情報を受信した情報処理装置１００は、ＥＰＧの枠を作成する（Ｓ２１０）。情報処理装置１００は、例えば、図６のステップＳ１１２の処理を行うことによって、ＥＰＧの枠を作成する。なお、ＥＰＧの枠が既に作成されている場合には、情報処理装置１００は、例えばステップＳ２１０の処理を行わない。
【０１０１】
情報処理装置１００は、図６のステップＳ１１４と同様に、番組情報送信要求を管理装置３００へ送信する（Ｓ２１２）。
【０１０２】
ステップＳ２１２において情報処理装置１００から送信された番組情報送信要求を受信した管理装置３００は、番組情報送信要求に対応する番組情報を情報処理装置１００へ送信する（Ｓ２１４）。ここで、管理装置３００は、例えば、チャンネルＩＤ（チャンネルの識別情報の一例）と番組情報とが対応付けられているデータベースを参照して、受信した番組情報送信要求に含まれるチャンネルＩＤと一致するチャンネルＩＤに対応する番組情報を特定する。そして、管理装置３００は、例えば、特定された番組情報を送信する。
【０１０３】
ステップＳ２１４において管理装置３００から送信された番組情報を受信した情報処理装置１００は、図６のステップＳ１１８と同様に、ＥＰＧを更新する（Ｓ２１６）。
【０１０４】
なお、図７では示していないが、ステップＳ２１６の処理によってＥＰＧが完成していない場合には、情報処理装置１００は、例えば、ステップＳ２０６からの処理を繰り返す。
【０１０５】
ステップＳ２１６の処理によりＥＰＧが完成した場合には、情報処理装置１００は、図６のステップＳ１２２の処理と同様に、ＥＰＧを表示画面に表示させる（Ｓ２１８）。
【０１０６】
例えば、ステップＳ２１８において表示させたＥＰＧに対する選局操作（ＥＰＧに対する操作の一例）が検出された場合には、情報処理装置１００は、図６のステップＳ１２６の処理と同様に、受信装置２００における選局を制御する（Ｓ２２０）。
【０１０７】
情報処理システム１０００では、例えば図７に示す処理が行われる。ここで、図７に示す処理が行われることによって、情報処理装置１００では、本実施形態に係る情報処理方法に係る、上記（１）の処理（取得制御処理）および上記（２）の処理（ＥＰＧ処理）が実現される。したがって、例えば図７に示す処理が行われることによって、ユーザの利便性の向上を図りつつ、より有益なＥＰＧを生成することが可能な、情報処理システムが実現される。
【０１０８】
なお、本実施形態に係る情報処理システムにおける処理は、図７に示す例に限られない。例えば、図１に示すように受信装置２００が複数存在する場合、情報処理装置１００が、本実施形態に係る切替処理をさらに行うことにより、複数の受信装置２００それぞれに対応するＥＰＧの生成や、複数の受信装置２００それぞれに対する選局の制御を行うことも可能である。
【０１０９】
（本実施形態に係る情報処理システム）
次に、本実施形態に係る情報処理システムを構成する、本実施形態に係る情報処理装置、本実施形態に係る受信装置、および本実施形態に係る管理装置それぞれの構成の一例について、説明する。以下では、本実施形態に係る情報処理システムが図１に示す情報処理システム１０００である場合を例に挙げて、情報処理装置１００、受信装置２００、および管理装置３００それぞれの構成の一例を説明する。
【０１１０】
［Ｉ］情報処理装置１００
図８は、本実施形態に係る情報処理装置１００の構成の一例を示すブロック図である。情報処理装置１００は、例えば、通信部１０２と、記憶部１０４と、制御部１０６とを備える。
【０１１１】
また、情報処理装置１００は、例えば、ＲＯＭ（Read  Only  Memory。図示せず）や、ＲＡＭ（Random  Access  Memory。図示せず）、ユーザが操作可能な操作部（図示せず）、様々な画面を表示画面に表示する表示部（図示せず）などを備えていてもよい。情報処理装置１００は、例えば、データの伝送路としてのバス（bus）により上記各構成要素間を接続する。
【０１１２】
ここで、ＲＯＭ（図示せず）は、制御部１０６が使用するプログラムや演算パラメータなどの制御用データを記憶する。ＲＡＭ（図示せず）は、制御部１０６により実行されるプログラムなどを一時的に記憶する。
【０１１３】
また、操作部（図示せず）としては、後述する操作入力デバイスが挙げられ、表示部（図示せず）としては、後述する表示デバイスが挙げられる。
【０１１４】
［情報処理装置１００のハードウェア構成例］
図９は、本実施形態に係る情報処理装置１００のハードウェア構成の一例を示す説明図である。情報処理装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４とを備える。また、情報処理装置１００は、例えば、データの伝送路としてのバス１６６で各構成要素間を接続する。
【０１１５】
ＭＰＵ１５０は、例えば、ＭＰＵ（Micro  Processing  Unit）や各種処理回路などで構成され、情報処理装置１００全体を制御する制御部１０６として機能する。また、ＭＰＵ１５０は、情報処理装置１００において、例えば、後述する取得制御部１１０、ＥＰＧ処理部１１２、選局制御部１１４、および切替部１１６の役目を果たす。
【０１１６】
ＲＯＭ１５２は、ＭＰＵ１５０が使用するプログラムや演算パラメータなどの制御用データなどを記憶する。ＲＡＭ１５４は、例えば、ＭＰＵ１５０により実行されるプログラムなどを一時的に記憶する。
【０１１７】
記録媒体１５６は、記憶部１０４として機能し、例えば、テーブル（選局情報と、ＥＰＧにおける各チャンネルとを対応付けるデータの一例）や、アプリケーションなど様々なデータを記憶する。ここで、記録媒体１５６としては、例えば、ハードディスク（Hard  Disk）などの磁気記録媒体や、フラッシュメモリ（flash  memory）などの不揮発性メモリ（nonvolatile  memory）などが挙げられる。また、記録媒体１５６は、情報処理装置１００から着脱可能であってもよい。
【０１１８】
入出力インタフェース１５８は、例えば、操作入力デバイス１６０や、表示デバイス１６２を接続する。操作入力デバイス１６０は、操作部（図示せず）として機能し、また、表示デバイス１６２は、表示部（図示せず）として機能する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）端子、各種処理回路などが挙げられる。また、操作入力デバイス１６０は、例えば、情報処理装置１００上に備えられ、情報処理装置１００の内部で入出力インタフェース１５８と接続される。操作入力デバイス１６０としては、例えば、ボタンや、方向キー、ジョグダイヤルなどの回転型セレクター、あるいは、これらの組み合わせなどが挙げられる。また、表示デバイス１６２は、例えば、情報処理装置１００上に備えられ、情報処理装置１００の内部で入出力インタフェース１５８と接続される。表示デバイス１６２としては、例えば、液晶ディスプレイ（Liquid  Crystal  Display）や有機ＥＬディスプレイ（Organic  Electro-Luminescence  display。または、ＯＬＥＤディスプレイ（Organic  Light  Emitting  Diode  display）ともよばれる。）などが挙げられる。
【０１１９】
なお、入出力インタフェース１５８が、情報処理装置１００の外部装置としての操作入力デバイス（例えば、キーボードやマウスなど）や表示デバイスなどの、外部デバイスと接続することもできることは、言うまでもない。また、表示デバイス１６２は、例えばタッチスクリーンなど、表示とユーザ操作とが可能なデバイスであってもよい。
【０１２０】
通信インタフェース１６４は、情報処理装置１００が備える通信手段であり、ネットワークを介して（あるいは、直接的に）、受信装置２００や管理装置３００などの外部装置と無線／有線で通信を行うための通信部１０２として機能する。ここで、通信インタフェース１６４としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ端子および送受信回路（有線通信）などが挙げられる。
【０１２１】
情報処理装置１００は、例えば図９に示す構成によって、本実施形態に係る情報処理方法に係る処理を行う。なお、本実施形態に係る情報処理装置１００のハードウェア構成は、図９に示す構成に限られない。
【０１２２】
例えば、情報処理装置１００は、通信方式が異なる、または、通信方式が同一の、複数の通信インタフェースを備えていてもよい。
【０１２３】
また、例えば、入出力インタフェース１５８などを介して接続される外部通信デバイスを介して、受信装置２００や管理装置３００などの外部装置と通信を行う場合には、情報処理装置１００は、通信インタフェース１６４を備えていなくてもよい。
【０１２４】
また、例えば、情報処理装置１００が、入出力インタフェース１５８などを介して接続される外部記録媒体や、サーバなどの外部装置が備える記録媒体に記憶されている、テーブル（選局情報と、ＥＰＧにおける各チャンネルとを対応付けるデータの一例）を用いて処理を行う場合には、情報処理装置１００は、記録媒体１５６を備えていなくてもよい。
【０１２５】
また、情報処理装置１００は、例えば、操作デバイス１６０や表示デバイス１６２を備えない構成をとることも可能である。
【０１２６】
再度図８を参照して、情報処理装置１００の構成の一例について説明する。通信部１０２は、情報処理装置１００が備える通信手段であり、ネットワークを介して（あるいは、直接的に）、受信装置２００や管理装置３００などの外部装置と無線／有線で通信を行う。また、通信部１０２は、例えば制御部１０６により通信が制御される。
【０１２７】
ここで、通信部１０２としては、例えば、通信アンテナおよびＲＦ回路や、ＬＡＮ端子および送受信回路などが挙げられるが、通信部１０２の構成は、上記に限られない。例えば、通信部１０２は、ＵＳＢ端子および送受信回路など通信を行うことが可能な任意の規格に対応する構成や、ネットワーク４００を介して外部装置と通信可能な任意の構成をとることができる。
【０１２８】
記憶部１０４は、情報処理装置１００が備える記憶手段であり、例えば、テーブル（選局情報と、ＥＰＧにおける各チャンネルとを対応付けるデータの一例）や、アプリケーションなど様々なデータを記憶する。図８では、記憶部１０４に、例えば、図１に示す受信装置２００Ａに対応するテーブルＡ１２０と、図１に示す受信装置２００Ｂに対応するテーブルＢ１２２と、…が記憶されている例を示している。
【０１２９】
ここで、記憶部１０４としては、例えば、ハードディスクなどの磁気記録媒体や、フラッシュメモリなどの不揮発性メモリなどが挙げられる。また、記憶部１０４は、情報処理装置１００から着脱可能であってもよい。
【０１３０】
制御部１０６は、例えばＭＰＵなどで構成され、情報処理装置１００全体を制御する役目を果たす。また、制御部１０６は、例えば、取得制御部１１０、ＥＰＧ処理部１１２、選局制御部１１４、および切替部１１６を備え、本実施形態に係る情報処理方法に係る処理を主導的に行う役目を果たす。
【０１３１】
取得制御部１１０は、上記（１）の処理（取得制御処理）を主導的に行う役目を果たし、受信装置２００から、チャンネルの信号情報と、信号情報に対応する選局情報とを取得し、また、取得されたチャンネルの信号情報に基づいて、管理装置から、信号情報に対応するＥＰＧに関する情報を取得する。
【０１３２】
より具体的には、取得制御部１１０は、例えば、通信部１０２（または、外部通信デバイス。以下、同様とする。）に、接続された受信装置２００に対して情報送信要求を送信させることによって、チャンネルの信号情報と、信号情報に対応する選局情報とを取得する。また、取得制御部１１０は、例えば、通信部１０２に、管理装置３００に対して受信装置２００から取得された信号情報を送信させることによって、信号情報に対応するＥＰＧに関する情報を管理装置３００から取得する。
【０１３３】
ＥＰＧ処理部１１２は、上記（２）の処理（ＥＰＧ処理）を主導的に行う役目を果たし、取得制御部１１０により取得されたＥＰＧに関する情報に基づいて、ＥＰＧを生成する。
【０１３４】
より具体的には、ＥＰＧ処理部１１２は、例えば、管理装置３００から取得されたＥＰＧの枠を作成するためのデータに基づいて、ＥＰＧの枠を作成する。そして、情報処理装置１００は、例えば、管理装置３００から取得された番組情報に基づいて、作成されたＥＰＧの枠内の対応する部分に、番組のタイトルや内容などを当てはめていくことによって、ＥＰＧを生成する。
【０１３５】
また、ＥＰＧ処理部１１２は、取得された選局情報と、生成されたＥＰＧにおける各チャンネルとを対応付ける。より具体的には、ＥＰＧ処理部１１２は、例えば、図２に示すテーブルのように、チャンネルの信号情報、選局情報、および生成したＥＧＰにおけるチャンネルを識別するための識別情報を対応付けることにより、選局情報と生成したＥＰＧにおける各チャンネルとを対応付ける。
【０１３６】
また、ＥＰＧ処理部１１２は、例えば、信号情報と信号情報に対応する選局情報とが、受信装置２００から取得されるごとに、信号情報と選局情報とを対応付ける。また、ＥＰＧ処理部１１２は、例えば、ＥＰＧに関する情報が、管理装置３００から取得されるごとに、信号情報、選局情報、および識別情報を対応付ける。
【０１３７】
選局制御部１１４は、上記選局制御処理を主導的に行う役目を果たし、ＥＰＧ処理部１１２により生成されたＥＰＧに対する操作により選択されたチャンネルに対応する選局情報に基づいて、受信装置２００における選局を制御する。
【０１３８】
より具体的には、情報処理装置１００は、例えば図２に示すようなテーブルを参照することによって、選局操作（ＥＰＧに対する操作の一例）が示すチャンネルの識別情報に対応する選局情報を特定する。また、情報処理装置１００は、例えば、特定された選局情報に基づいて受信装置２００と通信を行い、受信装置２００に選局情報に対応するチャンネルを選択させることによって、受信装置２００に選局を制御する。
【０１３９】
切替部１１６は、上記切替処理を主導的に行う役目を果たし、受信装置２００を切り替える。切替部１１６は、例えば、操作部（図示せず）や、リモート・コントローラなどの外部操作デバイスに対するユーザ操作に応じた操作信号に基づいて、ユーザ操作により選択された受信装置２００に切り替える。
【０１４０】
より具体的には、取得制御部１１０は、例えば、切替部１１６から伝達される、切り替える受信装置２００を示す切替信号に基づいて、切り替えられた受信装置２００から、信号情報および選局情報を取得する。また、ＥＰＧ処理部１１２は、例えば、切替部１１６から伝達される切替信号に基づいて、切り替えられた受信装置２００に対応するＥＰＧを生成する。
【０１４１】
また、選局制御部１１４は、例えば、切替部１１６から伝達される切替信号に基づいて、切り替えられた受信装置２００における選局を制御する。
【０１４２】
制御部１０６は、例えば、取得制御部１１０、ＥＰＧ処理部１１２、選局制御部１１４、および切替部１１６を備えることによって、本実施形態に係る情報処理方法に係る処理を主導的に行う。
【０１４３】
情報処理装置１００は、例えば図８に示す構成によって、本実施形態に係る情報処理方法に係る処理（例えば、上記（１）の処理（取得制御処理）、上記（２）の処理（ＥＰＧ処理）、上記選局制御処理、および上記切替処理）を行う。
【０１４４】
したがって、情報処理装置１００は、例えば図８に示す構成によって、ユーザの利便性の向上を図りつつ、より有益なＥＰＧを生成することができる。
【０１４５】
なお、本実施形態に係る情報処理装置１００の構成は、図８に示す構成に限られない。
【０１４６】
例えば、本実施形態に係る情報処理装置１００は、選局制御部１１４、および／または、切替部１１６を備えていなくてもよい。選局制御部１１４、および／または、切替部１１６を備えない構成であっても、本実施形態に係る情報処理装置１００は、本実施形態に係る情報処理方法に係る、上記（１）の処理（取得制御処理）および上記（２）の処理（ＥＰＧ処理）を主導的に行うことが可能である。
【０１４７】
よって、選局制御部１１４、および／または、切替部１１６を備えない構成であっても、本実施形態に係る情報処理装置１００は、ユーザの利便性の向上を図りつつ、より有益なＥＰＧを生成することができる。
【０１４８】
また、例えば、本実施形態に係る情報処理装置１００は、図８に示す取得制御部１１０、ＥＰＧ処理部１１２、選局制御部１１４、および切替部１１６のうちの１または２以上を、制御部１０６とは個別に備える（例えば、個別の処理回路で実現する）ことができる。
【０１４９】
また、例えば、本実施形態に係る情報処理装置１００が、外部通信デバイスを介して受信装置２００や管理装置３００などの外部装置と通信を行う場合には、情報処理装置１００は、通信部１０２を備えていなくてもよい。
【０１５０】
また、例えば、情報処理装置１００が、外部記録媒体やサーバなどの外部装置が備える記録媒体に記憶されている、テーブル（選局情報と、ＥＰＧにおける各チャンネルとを対応付けるデータの一例）を用いて処理を行う場合には、情報処理装置１００は、記憶１０４を備えていなくてもよい。
【０１５１】
［ＩＩ］受信装置２００
図１０は、本実施形態に係る受信装置２００の構成の一例を示すブロック図である。受信装置２００は、例えば、受信部２０２と、通信部２０４と、制御部２０６とを備える。
【０１５２】
また、受信装置２００は、例えば、ＲＯＭ（図示せず）や、ＲＡＭ（図示せず）、記憶部（図示せず）、ユーザが操作可能な操作部（図示せず）、様々な画面を表示画面に表示する表示部（図示せず）などを備えていてもよい。受信装置２００は、例えば、データの伝送路としてのバスにより上記各構成要素間を接続する。
【０１５３】
ここで、ＲＯＭ（図示せず）は、制御部２０６が使用するプログラムや演算パラメータなどの制御用データを記憶する。ＲＡＭ（図示せず）は、制御部２０６により実行されるプログラムなどを一時的に記憶する。
【０１５４】
記憶部（図示せず）は、受信装置２００が備える記憶手段であり、例えば、チャンネルの信号情報や、信号情報に対応する選局情報、アプリケーションなど様々なデータを記憶する。ここで、記憶部（図示せず）としては、例えば、ハードディスクなどの磁気記録媒体や、フラッシュメモリなどの不揮発性メモリなどが挙げられる。また、記憶部（図示せず）は、受信装置２００から着脱可能であってもよい。
【０１５５】
また、操作部（図示せず）としては、例えば、上述した図９に示す操作入力デバイスが挙げられ、表示部（図示せず）としては、例えば、上述した図９に示す表示デバイスが挙げられる。
【０１５６】
［受信装置２００のハードウェア構成例］
受信装置２００は、例えば図９に示すハードウェア構成に加え、さらに、チューナー（図示せず）を備える。
【０１５７】
チューナー（図示せず）は、例えば受信部２０２の役目を果たし、放送信号を受信する。ここで、チューナー（図示せず）が受信する放送信号としては、例えば、地上波放送の信号や、ＢＳ（Broadcasting  Satellite）放送やＣＳ（Communication  Satellite）放送などの衛星放送の信号、ケーブルテレビ放送などの有線放送の信号のうちの、１または２以上の信号が挙げられる。
【０１５８】
なお、本実施形態に係る受信装置２００のハードウェア構成は、図９に示す構成に限られない。
【０１５９】
例えば、受信装置２００が、入出力インタフェース１５８などを介して接続される外部通信デバイスを介して、情報処理装置１００などの外部装置と通信を行う場合には、受信装置２００は、通信インタフェース１６４を備えていなくてもよい。
【０１６０】
また、受信装置２００が、入出力インタフェース１５８などを介して接続される外部チューナーから放送信号を受信する場合には、チューナー（図示せず）を備えていなくてもよい。チューナー（図示せず）を備えない構成である場合には、例えば、外部チューナーから放送信号を受信する入出力インタフェース１５８などが、受信部２０２の役目を果たす。
【０１６１】
また、受信装置２００は、例えば、操作デバイス１６０や表示デバイス１６２を備えない構成をとることも可能である。
【０１６２】
再度図１０を参照して、受信装置２００の構成の一例について説明する。受信部２０２は、放送信号を受信する。
【０１６３】
ここで、受信部２０２としては、例えば、チューナー（図示せず）が挙げられる。なお、受信部２０２は、上記に限られない。例えば、受信装置２００が、外部チューナーから放送信号を受信する場合には、外部チューナーから放送信号を受信する入出力インタフェース１５８などが、受信部２０２の役目を果たす。
【０１６４】
通信部２０４は、受信装置２００が備える通信手段であり、ネットワークを介して（あるいは、直接的に）、情報処理装置１００などの外部装置と無線／有線で通信を行う。また、通信部２０４は、例えば制御部２０６により通信が制御される。
【０１６５】
ここで、通信部２０４としては、例えば、通信アンテナおよびＲＦ回路や、ＬＡＮ端子および送受信回路などが挙げられるが、通信部２０４の構成は、上記に限られない。例えば、通信部２０４は、ＵＳＢ端子および送受信回路など通信を行うことが可能な任意の規格に対応する構成や、ネットワークを介して外部装置と通信可能な任意の構成をとることができる。
【０１６６】
制御部２０６は、例えばＭＰＵなどで構成され、受信装置２００全体を制御する役目を果たす。また、制御部２０６は、例えば、処理部２１０を備える。
【０１６７】
処理部２１０は、受信部２０２により受信された放送信号に基づくチャンネルの信号情報に対応する選局情報を生成する。ここで、処理部２１０は、例えば、通信部３０２が受信した情報送信要求に応じて、選局情報を生成してもよいし、当該情報送信要求によらずに選局情報を生成してもよい。
【０１６８】
処理部２１０は、例えば、自装置のＩＰアドレスに、チャンネルの放送波種別、信号情報、およびチャンネル名で構成されたパラメータを付与したＵＲＬを、自装置に対応する選局情報として生成する。なお、例えば図２に示すチャンネルＵＲＬに示すように、処理部２１０が生成する選局情報が、上記に限られないことは、言うまでもない。
【０１６９】
また、処理部２１０は、例えば、通信部３０２が受信した情報送信要求に応じて、通信部３０２に、チャンネルの信号情報と信号情報に対応する選局情報とを、情報送信要求を送信した情報処理装置１００に対して送信させる。
【０１７０】
受信装置２００は、例えば図１０に示す構成によって、選局情報を生成する。また、受信装置２００は、例えば図１０に示す構成によって、チャンネルの信号情報と信号情報に対応する選局情報とを、情報送信要求を送信した情報処理装置１００に送信する。
【０１７１】
よって、受信装置２００が、例えば図１０に示す構成を有することによって、例えば図７に示すような、情報処理システム１０００における処理が実現される。したがって、受信装置２００が、例えば図１０に示す構成を有することによって、ユーザの利便性の向上を図りつつ、より有益なＥＰＧを生成することが可能な、情報処理システムが実現される。
【０１７２】
なお、本実施形態に係る受信装置２００の構成は、図１０に示す構成に限られない。
【０１７３】
例えば、本実施形態に係る受信装置２００は、図１０に示す処理部２１０を、制御部２０６とは個別に備える（例えば、個別の処理回路で実現する）ことができる。
【０１７４】
また、例えば、本実施形態に係る受信装置２００が、外部通信デバイスを介して情報処理装置１００などの外部装置と通信を行う場合には、本実施形態に係る受信装置２００は、通信部２０４を備えていなくてもよい。
【０１７５】
［ＩＩＩ］管理装置３００
図１１は、本実施形態に係る管理装置３００の構成の一例を示すブロック図である。管理装置３００は、例えば、通信部３０２と、記憶部３０４と、制御部３０６とを備える。
【０１７６】
また、管理装置３００は、例えば、ＲＯＭ（図示せず）や、ＲＡＭ（図示せず）、ユーザが操作可能な操作部（図示せず）、様々な画面を表示画面に表示する表示部（図示せず）などを備えていてもよい。管理装置３００は、例えば、データの伝送路としてのバスにより上記各構成要素間を接続する。
【０１７７】
ここで、ＲＯＭ（図示せず）は、制御部３０６が使用するプログラムや演算パラメータなどの制御用データを記憶する。ＲＡＭ（図示せず）は、制御部３０６により実行されるプログラムなどを一時的に記憶する。
【０１７８】
また、操作部（図示せず）としては、例えば、上述した図９に示す操作入力デバイスが挙げられ、表示部（図示せず）としては、例えば、上述した図９に示す表示デバイスが挙げられる。
【０１７９】
［管理装置３００のハードウェア構成例］
管理装置３００は、例えば図９に示すハードウェア構成をとる。
【０１８０】
なお、本実施形態に係る管理装置３００のハードウェア構成は、図９に示す構成に限られない。
【０１８１】
例えば、管理装置３００が、入出力インタフェース１５８などを介して接続される外部通信デバイスを介して、情報処理装置１００などの外部装置と通信を行う場合には、管理装置３００は、通信インタフェース１６４を備えていなくてもよい。
【０１８２】
また、管理装置３００は、例えば、操作デバイス１６０や表示デバイス１６２を備えない構成をとることも可能である。
【０１８３】
再度図１１を参照して、管理装置３００の構成の一例について説明する。通信部３０２は、管理装置３００が備える通信手段であり、ネットワークを介して（あるいは、直接的に）、情報処理装置１００などの外部装置と無線／有線で通信を行う。また、通信部３０２は、例えば制御部３０６により通信が制御される。
【０１８４】
ここで、通信部３０２としては、例えば、通信アンテナおよびＲＦ回路や、ＬＡＮ端子および送受信回路などが挙げられるが、通信部３０２の構成は、上記に限られない。例えば、通信部３０２は、ＵＳＢ端子および送受信回路など通信を行うことが可能な任意の規格に対応する構成や、ネットワークを介して外部装置と通信可能な任意の構成をとることができる。
【０１８５】
記憶部３０４は、管理装置３００が備える記憶手段であり、例えば、信号情報と第２チャンネル情報を構成する情報（例えば、ＥＰＧに関する情報など）とが対応付けられているデータベースや、チャンネルＩＤ（チャンネルの識別情報の一例）と番組情報とが対応付けられているデータベース、アプリケーションなど様々なデータを記憶する。ここで、図１１では、ＥＰＧデータベース３２０（信号情報と第２チャンネル情報を構成する情報（例えば、ＥＰＧに関する情報など）とが対応付けられているデータベースの一例）と、番組データベース３２２（チャンネルＩＤ（チャンネルの識別情報の一例）と番組情報とが対応付けられているデータベースの一例）とが、記憶部３０４に記憶されている例を示している。
【０１８６】
また、記憶部３０４としては、例えば、ハードディスクなどの磁気記録媒体や、フラッシュメモリなどの不揮発性メモリなどが挙げられる。また、記憶部３０４は、管理装置３００から着脱可能であってもよい。
【０１８７】
制御部３０６は、例えばＭＰＵなどで構成され、管理装置３００全体を制御する役目を果たす。また、制御部３０６は、例えば、処理部３１０を備える。
【０１８８】
処理部３１０は、通信部３０２が受信した信号情報に基づいて、通信部３０２に、信号情報に対応する第２チャンネル情報を、信号情報を送信した情報処理装置１００に対して送信させる。より具体的には、処理部３１０は、例えば、ＥＰＧデータベース３２０を参照して、受信された信号情報と一致する信号情報に対応する第２チャンネル情報を構成する情報を特定する。そして、処理部３１０は、例えば、通信部３０２に、特定された情報を含む第２チャンネル情報を送信させる。
【０１８９】
また、処理部３１０は、例えば、通信部３０２が受信した番組情報送信要求に基づいて、通信部３０２に、番組情報送信要求に対応する番組情報を、番組情報送信要求を送信した情報処理装置１００に対して送信させる。より具体的には、処理部３１０は、例えば、番組データベース３２２を参照して、受信された番組情報送信要求に含まれるチャンネルＩＤ（チャンネルの識別情報の一例）と一致するチャンネルＩＤに対応する番組情報を特定する。そして、処理部３１０は、例えば、通信部３０２に、特定された番組情報を送信させる。
【０１９０】
管理装置３００は、例えば図１１に示す構成によって、通信部３０２が受信した信号情報や番組情報送信要求に対応する情報（データ）を、信号情報や番組情報送信要求を送信した情報処理装置１００へ送信する。
【０１９１】
よって、管理装置３００が、例えば図１１に示す構成を有することによって、例えば図７に示すような、情報処理システム１０００における処理が実現される。したがって、管理装置３００が、例えば図１１に示す構成を有することによって、ユーザの利便性の向上を図りつつ、より有益なＥＰＧを生成することが可能な、情報処理システムが実現される。
【０１９２】
なお、本実施形態に係る管理装置３００の構成は、図１１に示す構成に限られない。
【０１９３】
例えば、本実施形態に係る管理装置３００は、図１１に示す処理部３１０を、制御部３０６とは個別に備える（例えば、個別の処理回路で実現する）ことができる。
【０１９４】
また、例えば、本実施形態に係る管理装置３００が、外部通信デバイスを介して情報処理装置１００などの外部装置と通信を行う場合には、本実施形態に係る管理装置３００は、通信部３０２を備えていなくてもよい。
【０１９５】
以上、本実施形態として情報処理装置を挙げて説明したが、本実施形態は、かかる形態に限られない。本実施形態は、例えば、タブレット型の装置や、携帯電話やスマートフォンなどの通信装置、映像／音楽再生装置（または映像／音楽記録再生装置）、ゲーム機、ＰＣ（Personal  Computer）などのコンピュータ、いわゆるモバイル装置など、様々な機器に適用することができる。また、本実施形態は、例えば、上記のような機器に組み込むことが可能な、処理ＩＣ（Integrated  Circuit）に適用することもできる。
【０１９６】
また、本実施形態として受信装置を挙げて説明したが、本実施形態は、かかる形態に限られない。本実施形態は、例えば、テレビ受像機や、チューナー、ＰＣなどのコンピュータなど、様々な機器に適用することができる。また、本実施形態は、例えば、上記のような機器に組み込むことが可能な、処理ＩＣに適用することもできる。
【０１９７】
また、本実施形態として管理装置を挙げて説明したが、本実施形態は、かかる形態に限られない。本実施形態は、例えば、ＰＣやサーバなどのコンピュータなど、様々な機器に適用することができる。また、本実施形態は、例えば、上記のような機器に組み込むことが可能な、処理ＩＣに適用することもできる。
【０１９８】
（本実施形態に係るプログラム）
［ｉ］本実施形態に係る情報処理装置に係るプログラム
コンピュータを、本実施形態に係る情報処理装置として機能させるためのプログラム（例えば、“上記（１）の処理（取得制御処理）、および上記（２）の処理（ＥＰＧ処理）”や、“上記（１）の処理（取得制御処理）、上記（２）の処理（ＥＰＧ処理）、および上記選局制御処理”、“上記（１）の処理（取得制御処理）、上記（２）の処理（ＥＰＧ処理）、および上記切替処理”、“上記（１）の処理（取得制御処理）、上記（２）の処理（ＥＰＧ処理）、上記選局制御処理、および上記切替処理”など、本実施形態に係る情報処理方法に係る処理を実行することが可能なプログラム）が、コンピュータにおいて実行されることによって、ユーザの利便性の向上を図りつつ、より有益なＥＰＧを生成することができる。
【０１９９】
［ｉｉ］本実施形態に係る受信装置に係るプログラム
コンピュータを、本実施形態に係る受信装置として機能させるためのプログラム（例えば、図１０に示す処理部２１０として機能させるためのプログラム）がコンピュータにおいて実行されることによって、ユーザの利便性の向上を図りつつ、より有益なＥＰＧを生成することが可能な、情報処理システムを実現することができる。
【０２００】
［ｉｉｉ］本実施形態に係る管理装置に係るプログラム
コンピュータを、本実施形態に係る管理装置として機能させるためのプログラム（例えば、図１１に示す処理部３１０として機能させるためのプログラム）がコンピュータにおいて実行されることによって、ユーザの利便性の向上を図りつつ、より有益なＥＰＧを生成することが可能な、情報処理システムを実現することができる。
【０２０１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２０２】
例えば、上記では、コンピュータを、本実施形態に係る情報処理装置、本実施形態に係る受信装置、本実施形態に係る管理装置それぞれとして機能させるためのプログラム（コンピュータプログラム）が提供されることを示したが、本実施形態は、さらに、上記プログラムをそれぞれ記憶させた記録媒体や、上記プログラムのうちの２以上を記憶させた記録媒体も併せて提供することができる。
【０２０３】
上述した構成は、本実施形態の一例を示すものであり、当然に、本開示の技術的範囲に属するものである。
【０２０４】
なお、以下のような構成も本開示の技術的範囲に属する。
（１）
放送信号を受信する受信装置から、チャンネルの信号情報と、前記信号情報に対応する前記受信装置における選局を制御するための選局情報とを取得し、取得されたチャンネルの信号情報に基づいて、管理装置から、前記信号情報に対応するＥＰＧ（Electronic  Program  Guide）に関する情報を取得する取得制御部と、
取得されたＥＰＧに関する情報に基づいて、ＥＰＧを生成するＥＰＧ処理部と、
を備え、
前記ＥＰＧ処理部は、取得された前記選局情報と、生成した前記ＥＰＧにおける各チャンネルとを対応付ける、情報処理装置。
（２）
前記ＥＰＧ処理部は、前記信号情報、前記選局情報、および前記ＥＰＧに関する情報に含まれる、ＥＧＰにおけるチャンネルを識別するための識別情報を対応付けることにより、前記選局情報と生成した前記ＥＰＧにおける各チャンネルとを対応付ける、（１）に記載の情報処理装置。
（３）
前記ＥＰＧ処理部は、
前記信号情報と前記信号情報に対応する前記選局情報とが、前記受信装置から取得されるごとに、前記信号情報と前記選局情報とを対応付け、
前記ＥＰＧに関する情報が、前記管理装置から取得されるごとに、前記信号情報、前記選局情報、および前記識別情報を対応付ける、（２）に記載の情報処理装置。
（４）
生成された前記ＥＰＧに対する操作により選択されたチャンネルに対応する、前記選局情報に基づいて、前記受信装置における選局を制御する選局制御部をさらに備える、（１）〜（３）のいずれか１つに記載の情報処理装置。
（５）
前記受信装置を切り替える切替部をさらに備え、
前記取得制御部は、切り替えられた前記受信装置から、前記信号情報および前記選局情報を取得し、
前記ＥＰＧ処理部は、切り替えられた前記受信装置に対応するＥＰＧを生成する、（１）〜（４）のいずれか１つに記載の情報処理装置。
（６）
前記受信装置を切り替える切替部をさらに備え、
前記選局制御部は、切り替えられた前記受信装置における選局を制御する、（４）に記載の情報処理装置。
（７）
放送信号を受信する受信部と、
受信された放送信号に基づくチャンネルの信号情報に対応する、選局を制御するための選局情報を生成する処理部と、
を備える、受信装置。
（８）
前記処理部は、自装置のＩＰ（Internet  Protocol）アドレスと、チャンネルに関する情報と、前記信号情報とを含むＵＲＬ（Uniform  Resource  Locator）を、前記選局情報として生成する、請求項７に記載の受信装置。
（９）
放送信号を受信する受信装置から、チャンネルの信号情報と、前記信号情報に対応する前記受信装置における選局を制御するための選局情報とを取得し、取得されたチャンネルの信号情報に基づいて、管理装置から、前記信号情報に対応するＥＰＧに関する情報を取得するステップと、
取得されたＥＰＧに関する情報に基づいて、ＥＰＧを生成するステップと、
を有し、
前記ＥＰＧを生成するステップでは、取得された前記選局情報と、生成された前記ＥＰＧにおける各チャンネルとが対応付けられる、情報処理方法。
【符号の説明】
【０２０５】
１００    情報処理装置
１０２、２０４、３０２    通信部
１０４、３０４    記憶部
１０６、２０６、３０６    制御部
１１０    取得制御部
１１２    ＥＰＧ処理部
１１４    選局制御部
１１６    切替部
２００、２００Ａ、２００Ｂ    受信装置
２０２    受信部
２１０、３１０    処理部
３００    管理装置
４００    ネットワーク
１０００  情報処理システム
【図１】
2014127955.tif 000003
【図２】
2014127955.tif 000004
【図６】
2014127955.tif 000005
【図７】
2014127955.tif 000006
【図８】
2014127955.tif 000007
【図９】
2014127955.tif 000008
【図１０】
2014127955.tif 000009
【図１１】
2014127955.tif 000010
【図３】
2014127955.tif 000011
【図４】
2014127955.tif 000012
【図５】
2014127955.tif 000013